(57)【要約】【課題】信号形式と輝度レベルに対して、常に最適な画質補正を行うことができる映像表示装置を提供する。【解決手段】映像表示装置１００は、サイドパネル１６：９映像信号を、送信側のアスペクト情報信号７１と、復調側のサイドパネル情報信号７２と、復調側のＯＳＤ情報信号７３と、サイドパネル検出回路５１と、アスペクト検出回路５２と、静止画検出回路５３とにより検出し、これら検出手段を適宜切替え、又は組み合わせることにより、精度が高く誤検出が少ないサイドパネル判定を実現するとともに、黒検出回路２２と、暗部検出回路２４と、明部検出回路２６と、ＡＢＬ回路３０とにより、サイドパネル１６：９映像信号の輝度レベルを検出し、映像輝度レベル検出回路６１で映像信号の輝度レベルを求め、サイドパネル検出結果と、映像輝度レベル検出結果に応じた画質補正を、画質制御装置６３より画質制御信号４として画質処理装置２０で施す。【選択図】  図１
2005026814.tif 000002
【特許請求の範囲】
【請求項１】
デジタル放送を復調する復調装置と、該復調装置から出力されるサイドパネル映像信号の画質を整える映像処理装置と、前記映像処理装置を映像制御信号により制御する画質制御装置とを備える映像表示装置において、
前記サイドパネル映像信号から画像信号部分以外の無画部分を含む画像情報を検出する画像情報検出手段を備え、
前記画質制御装置は、前記映像処理装置を制御する映像制御信号に対して、前記総合画像部分の画像情報に応じた画質補正を行うことを特徴とする映像表示装置。
【請求項２】
デジタル放送を復調する復調装置と、該復調装置から出力されるサイドパネル映像信号の画質を整える映像処理装置と、前記映像処理装置を映像制御信号により制御する画質制御装置とを備える映像表示装置において、
前記サイドパネル映像信号の暗部面積を検出する暗部検出回路と、
前記サイドパネル映像信号の明部面積を検出する明部検出回路と、
前記サイドパネル映像信号の黒面積を検出する黒検出回路と、
前記サイドパネル映像信号の明るさに応じて輝度レベルを制御する輝度レベル制御回路と、
前記各検出回路及び前記輝度レベル制御回路により制御された輝度レベルを基に映像輝度レベルを検出する映像輝度レベル検出回路とを備え、
前記画質制御装置は、前記映像処理装置を制御する映像制御信号に対して、前記映像輝度レベル検出回路で得られた映像輝度レベル検出信号とサイドパネル形式に応じた画質補正を行うことを特徴とする映像表示装置。
【請求項３】
前記映像輝度レベル検出回路は、
前記暗部検出回路の検出結果の輝度レベルと前記明部検出回路の検出結果の輝度レベルとを比較する第１輝度レベル比較回路と、
前記黒検出回路の検出結果の輝度レベルと前記第１輝度レベル比較回路の比較結果の輝度レベルとを比較する第２輝度レベル比較回路と、
前記輝度レベル制御回路により制御された輝度レベルと前記第２輝度レベル比較回路の比較結果の輝度レベルとを比較する第３輝度レベル比較回路とを備え、
前記画質制御装置は、前記映像処理装置を制御する映像制御信号に対して、前記第３輝度レベル比較回路で得られた映像輝度レベル検出信号とサイドパネル形式に応じた画質補正を行うことを特徴とする請求項２記載の映像表示装置。
【請求項４】
さらに、前記サイドパネル映像信号のサイドパネル信号を検出するサイドパネル検出回路と、
前記サイドパネル映像信号のアスペクトを検出するアスペクト検出回路と、
前記サイドパネル映像信号の静止画／動画を検出する静止画検出回路と、
前記各検出回路の検出信号を基に、送信側のサイドパネル情報がない前記サイドパネル映像信号の判定を行う第１サイドパネル判定回路と
を備えることを特徴とする請求項１乃至３のいずれか一項に記載の映像表示装置。
【請求項５】
さらに、送信側のアスペクト情報信号を検出するアスペクト情報信号検出回路と、
復調側のサイドパネル情報信号を検出するサイドパネル情報信号検出回路と、
前記各検出回路の検出信号を基に、送信側のサイドパネル情報がある前記サイドパネル映像信号を判定する第２サイドパネル判定回路とを備えることを特徴とする請求項１乃至４のいずれか一項に記載の映像表示装置。
【請求項６】
デジタル放送を復調する復調装置と、該復調装置から出力されるサイドパネル映像信号の画質を整える映像処理装置と、前記映像処理装置を映像制御信号により制御する画質制御装置とを備える映像表示装置において、
前記サイドパネル映像信号のサイドパネル信号を検出するサイドパネル検出回路と、
前記サイドパネル映像信号のアスペクトを検出するアスペクト検出回路と、
前記サイドパネル映像信号の静止画／動画を検出する静止画検出回路と、
前記各検出回路の検出信号を基に、送信側のサイドパネル情報がない前記サイドパネル映像信号の判定を行う第１サイドパネル判定回路と、
送信側のアスペクト情報信号を検出するアスペクト情報信号検出回路と、
復調側のサイドパネル情報信号を検出するサイドパネル情報信号検出回路と、前記各検出回路の検出信号を基に、送信側のサイドパネル情報がある前記サイドパネル映像信号を判定する第２サイドパネル判定回路とを備えることを特徴とする映像表示装置。
【請求項７】
前記第１及び／又は第２のサイドパネル判定回路の判定条件を切り替える判定条件切替手段を備えることを特徴とする請求項１乃至６のいずれか一項に記載の映像表示装置。
【請求項８】
ＯＳＤ情報を付加するＯＳＤ混合回路と、
前記ＯＳＤ混合回路からのＯＳＤ情報信号と前記第１及び／又は第２のサイドパネル判定回路のサイドパネル判定信号から、ＯＳＤ表示が重畳されたサイドパネルを判定する第３サイドパネル判定回路とを備え、
前記サイドパネル映像信号にＯＳＤ情報が重畳されている場合、前記サイドパネル検出結果を用いないことを特徴とする請求項１乃至７のいずれか一項に記載の映像表示装置。
【請求項９】
前記サイドパネル映像信号は、送信側のアスペクト情報信号、復調側のサイドパネル情報信号、復調側のＯＳＤ情報信号、前記サイドパネル検出回路による検出信号、前記アスペクト検出回路による検出信号、又は前記静止画検出回路による検出信号のうち、少なくともいずれか１つ以上の組み合わせ、又は該検出信号の適宜切替えにより検出されることを特徴とする請求項１乃至８のいずれか一項に記載の映像表示装置。
【請求項１０】
前記サイドパネル映像信号は、サイドパネル１６：９映像信号であることを特徴とする請求項１乃至９のいずれか一項に記載の映像表示装置。
【発明の詳細な説明】
【０００１】
【発明の属する技術分野】
本発明は、デジタル放送受信機等の映像表示装置に関し、特に、サイドパネル方式１６：９映像信号を表示する映像表示装置に関する。
【０００２】
【従来の技術】
図１０において、映像表示受信機は、復調回路１１、フォーマット変換回路１２及びＯＳＤ（Ｏｎ  Ｓｃｒｅｅｎ  Ｄｉｓｐｌａｙ）混合回路１３からなり、デジタル放送を復調する復調装置１０と、復調装置１０から出力されるサイドパネル１６：９映像信号の画質を整えて映像制御信号として出力する映像処理装置２０と、画質制御装置４１からなり映像処理装置２０を制御する映像制御装置４０とを備えて構成される。
【０００３】
映像処理装置２０は、黒伸長回路２１、黒検出回路２２、暗部ガンマ回路２３、暗部検出回路２４、明部ガンマ回路２５、明部検出回路２６、画質回路２７、コントラスト回路２８、黒レベル回路２９、ＡＢＬ（Ａｕｔｏ  Ｂｒｉｇｈｔｎｅｓｓ  Ｌｉｍｉｔｅｒ）回路３０（輝度レベル制御回路）、及びガンマ回路３１から構成される。
また、１はデジタル放送信号、２は復調映像信号、３は映像出力信号、４は画質制御信号（映像制御信号）である。
【０００４】
ＯＳＤ混合回路１３は、内部にＯＳＤ発生機能部を有し、チャンネル、時刻、音量などの情報をテレビ等の画面上に表示する。ＴＶ等の映像装置、テレビ会議システム等の電子機器では、チャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。
ＡＢＬ回路３０は、１フィールド毎に画像の明るさのレベルを検出し、明るさに応じて輝度レベルの補正を行う。
【０００５】
以上の構成において、デジタル放送を復調する復調装置１０からは、１６：９信号，４：３信号，サイドパネル１６：９信号など様々な信号形式の復調映像信号２が出力される。復調装置１０から出力された復調映像信号２は、映像処理装置２０で画質補正されて映像出力信号３となる。復調映像信号２は、黒伸長回路２１、暗部ガンマ回路２３、明部ガンマ回路２５、画質回路２７、コントラスト回路２８、黒レベル回路２９、ＡＢＬ回路３０、及びガンマ回路３１で画質補正され映像出力信号３を得る。
【０００６】
これらの画質補正回路は画像信号の輝度レベルに応じて自動的に最適補正する動作を行う。この画質補正は表示される映像に対して補正が行われるものである。これに対して１６：９信号、４：３信号は画面全体に表示される映像信号であり、上記画質補正は映像信号に対して最適な補正が行われる。サイドパネル１６：９信号は両側が黒などの固定映像を付加した映像であり、サイドパネル部も映像信号として画質補正を行う構成となっている。
【０００７】
上記は、一般的な従来の映像処理方法の例を示したものである。特許文献１には、サイドパネル１６：９映像信号を検出し、４：３ＴＶに真円を保ちながら水平・垂直をコントロールし画面全体に表示する映像表示装置が開示されている。サイドパネル１６：９映像信号を検出する方法は、送信側のアスペクト情報と、両側のサイドパネル検出結果により検出を行うが、両側のサイドパネル検出は、左側の輝度平均値と右側の輝度平均値が等しく、かつ映像部の平均輝度と等しくない場合にサイドパネルと判定をする。
【０００８】
また、特許文献２には、表示画面全体を検出する水平・垂直の任意位置に設定し、その範囲にある画像信号部分を検出するとともに、検出した前記画像信号部分の画像情報を検出し、検出した前記画像情報に応じた画質補正を行う画像情報検出装置が開示されている。
【０００９】
【特許文献１】
特開２００２−３６９０２９号公報
【特許文献２】
特開平７−２８８７５１号公報
【００１０】
【発明が解決しようとする課題】
しかしながら、このような従来の映像表示受信機にあっては、以下のような問題点があった。
【００１１】
例えば、図１０の構成の映像表示受信機では、復調映像信号２を映像処理装置２０で画質補正するため、サイドパネル１６：９映像信号の場合、該サイドパネル部分も映像信号として処理されるため、黒レベル、コントラスト、輝度、画質などの画質劣化を生じる。この画質劣化は、映像信号の輝度レベル、サイドパネル形式、ＯＳＤ表示などにより影響度が変化する。この画質劣化について、後述する図９を用いて説明する。
【００１２】
図９（Ａ）は、理想的な画像を示し、図９（Ｂ）は、従来の構成による画像を示す。図９（Ａ）において、画像パターン▲１▼は元の画像、画像パターン▲２▼〜▲４▼は画質補正された画像を示す。図９（Ａ）に示す理想的な画像では、画像パターン▲１▼〜▲４▼の網掛け部のドットピッチが均一であることで表されるように、画質補正を行っても劣化がない。また、図９（Ａ）に示す画像パターン▲１▼は、通常の１６：９信号で、この輝度レベルを基準とする。
【００１３】
図９（Ａ）（Ｂ）において、画像パターン▲２▼は左右に黒のサイドパネル信号で、左右の黒を映像信号として前記映像処理装置２０で画質補正されるため、実際の映像信号は黒が浮いた映像として表示されてしまう。これは、図９（Ｂ）の網掛け部のドットピッチが図９（Ａ）のドットピッチに対して粗いことで表現している（以下同様）。
【００１４】
また、図９（Ａ）（Ｂ）の画像パターン▲４▼は、画像パターン▲２▼のサイドパネル部分が黒でない、情報を付加したサイドパネル信号で、画像パターン▲２▼の場合よりは画質劣化が軽減されるものの、映像信号の輝度レベルの時間軸変化に対して、画質が変化しやすい画質劣化を招きやすい。
【００１５】
また、図９（Ａ）（Ｂ）の画像パターン▲３▼は、サイドパネル信号を受信していてメニューなどのＯＳＤ表示を行った場合である。一般にデジタル放送での受信機側ＯＳＤは、ＯＳＤ混合回路１３で映像信号に重畳させる方式であるため、ＯＳＤ表示内容も映像内容として前記映像処理装置２０で画質補正がされてしまい、画質劣化を招くだけでなく、サイドパネル信号と検出できない誤検出を招くという問題点があった。
【００１６】
本発明は、このような課題に鑑みてなされたものであって、信号形式と輝度レベルに対して、常に最適な画質補正を行うことができる映像表示装置を提供することを目的とする。
【００１７】
【課題を解決するための手段】
本発明の映像表示装置は、デジタル放送を復調する復調装置と、該復調装置から出力されるサイドパネル映像信号の画質を整える映像処理装置と、前記映像処理装置を映像制御信号により制御する画質制御装置とを備える映像表示装置において、前記サイドパネル映像信号から画像信号部分以外の無画部分を含む画像情報を検出する画像情報検出手段を備え、前記画質制御装置は、前記映像処理装置を制御する映像制御信号に対して、総合画像部分の画像情報に応じた画質補正を行うことを特徴としている。
【００１８】
本発明の映像表示装置は、デジタル放送を復調する復調装置と、該復調装置から出力されるサイドパネル映像信号の画質を整える映像処理装置と、前記映像処理装置を映像制御信号により制御する画質制御装置とを備える映像表示装置において、前記サイドパネル映像信号の暗部面積を検出する暗部検出回路と、前記サイドパネル映像信号の明部面積を検出する明部検出回路と、前記サイドパネル映像信号の黒面積を検出する黒検出回路と、前記サイドパネル映像信号の明るさに応じて輝度レベルを制御する輝度レベル制御回路と、前記各検出回路及び前記輝度レベル制御回路により制御された輝度レベルを基に映像輝度レベルを検出する映像輝度レベル検出回路とを備え、前記画質制御装置は、前記映像処理装置を制御する映像制御信号に対して、前記映像輝度レベル検出回路で得られた映像輝度レベル検出信号とサイドパネル形式に応じた画質補正を行うことを特徴としている。
【００１９】
より好ましくは、前記映像輝度レベル検出回路は、前記暗部検出回路の検出結果の輝度レベルと前記明部検出回路の検出結果の輝度レベルとを比較する第１輝度レベル比較回路と、前記黒検出回路の検出結果の輝度レベルと前記第１輝度レベル比較回路の比較結果の輝度レベルとを比較する第２輝度レベル比較回路と、前記輝度レベル制御回路により制御された輝度レベルと前記第２輝度レベル比較回路の比較結果の輝度レベルとを比較する第３輝度レベル比較回路とを備え、前記画質制御装置は、前記映像処理装置を制御する映像制御信号に対して、前記第３輝度レベル比較回路で得られた映像輝度レベル検出信号とサイドパネル形式に応じた画質補正を行うものである。
【００２０】
以上のように構成された映像表示装置によれば、デジタル放送を復調する復調装置から出力されるサイドパネル１６：９映像信号を、映像処理装置により画質を整え、映像出力信号を得る映像表示受信機に適用した場合、画像輝度レベル検出結果に応じて、映像処理装置への映像制御信号に対して、第３輝度レベル比較回路で得られた映像輝度レベル検出信号とサイドパネル形式に応じた画質補正を行うことができるため、信号形式と輝度レベルに対して、常に最適な画質補正を行うことができる。
【００２１】
さらに、前記サイドパネル映像信号のサイドパネル信号を検出するサイドパネル検出回路と、前記サイドパネル映像信号のアスペクトを検出するアスペクト検出回路と、前記サイドパネル映像信号の静止画／動画を検出する静止画検出回路と、前記各検出回路の検出信号を基に、送信側のサイドパネル情報がない前記サイドパネル映像信号の判定を行う第１サイドパネル判定回路とを備えることで、送信側のサイドパネル情報がないサイドパネル１６：９映像信号の検出を精度よく実現することができる。
【００２２】
さらに、送信側のアスペクト情報信号を検出するアスペクト情報信号検出回路と、復調側のサイドパネル情報信号を検出するサイドパネル情報信号検出回路と、前記各検出回路の検出信号を基に、送信側のサイドパネル情報がある前記サイドパネル映像信号を判定する第２サイドパネル判定回路とを備えることで、送信側のサイドパネル情報があるサイドパネル１６：９映像信号の検出を精度よく実現することができる。
【００２３】
また、本発明は、デジタル放送を復調する復調装置と、該復調装置から出力されるサイドパネル映像信号の画質を整える映像処理装置と、前記映像処理装置を映像制御信号により制御する画質制御装置とを備える映像表示装置において、前記サイドパネル映像信号のサイドパネル信号を検出するサイドパネル検出回路と、前記サイドパネル映像信号のアスペクトを検出するアスペクト検出回路と、前記サイドパネル映像信号の静止画／動画を検出する静止画検出回路と、前記各検出回路の検出信号を基に、送信側のサイドパネル情報がない前記サイドパネル映像信号の判定を行う第１サイドパネル判定回路と、送信側のアスペクト情報信号を検出するアスペクト情報信号検出回路と、復調側のサイドパネル情報信号を検出するサイドパネル情報信号検出回路と、前記各検出回路の検出信号を基に、送信側のサイドパネル情報がある前記サイドパネル映像信号を判定する第２サイドパネル判定回路とを備えることを特徴としている。
【００２４】
以上のように構成された映像表示装置によれば、信号形式と輝度レベルに対して、常に最適な画質補正を行うことができる。
また、前記サイドパネル判定回路の判定条件を切り替える判定条件切替手段を備えることで、サイドパネル検出と判定の精度をさらに向上させることができる。
【００２５】
また、ＯＳＤ情報を付加するＯＳＤ混合回路と、前記ＯＳＤ混合回路からのＯＳＤ情報信号と前記第１及び／又は第２のサイドパネル判定回路のサイドパネル判定信号から、ＯＳＤ表示が重畳されたサイドパネルを判定する第３サイドパネル判定回路とを備え、前記サイドパネル映像信号にＯＳＤ情報が重畳されている場合、前記サイドパネル検出結果を用いないことで、例えば、ＯＳＤ表示が行われる前の状態を保持するなど、ＯＳＤ信号有無での切替動作により、ＯＳＤ信号重畳によるサイドパネル検出誤動作と、画質変動を防止することができる。
【００２６】
より好ましい具体的な態様として、前記サイドパネル映像信号は、送信側のアスペクト情報信号、復調側のサイドパネル情報信号、復調側のＯＳＤ情報信号、前記サイドパネル検出回路による検出信号、前記アスペクト検出回路による検出信号、又は前記静止画検出回路による検出信号のうち、少なくともいずれか１つ以上の組み合わせ、又は該検出信号の適宜切替えにより検出される。
より好ましい具体的な態様として、前記サイドパネル映像信号は、サイドパネル１６：９映像信号である。
【００２７】
【発明の実施の形態】
以下、添付図面を参照しながら本発明の好適な映像表示装置の実施の形態について詳細に説明する。
【００２８】
図１は、本発明の実施の形態の映像表示装置の構成を示す図である。本実施の形態の映像表示装置は、ＢＳデジタル放送受信機に適用した例である。図１０と同一構成部分には同一符号を付している。
【００２９】
図１において、映像表示装置１００は、復調回路１１、フォーマット変換回路１２及びＯＳＤ混合回路１３からなり、デジタル放送を復調する復調装置１０と、サイドパネル検出回路５１、アスペクト検出回路５２及び静止画検出回路５３からなり、サイドパネル１６：９映像信号を検出するサイドパネル検出装置５０と、サイドパネル検出装置５０から出力されるサイドパネル１６：９映像信号の画質を整えて映像制御信号として出力する映像処理装置２０と、映像処理装置２０を制御する映像制御装置６０とを備えて構成される。
【００３０】
映像処理装置２０は、黒伸長回路２１、黒検出回路２２、暗部ガンマ回路２３、暗部検出回路２４、明部ガンマ回路２５、明部検出回路２６、画質回路２７、コントラスト回路２８、黒レベル回路２９、ＡＢＬ回路３０（輝度レベル制御回路）、及びガンマ回路３１から構成される。
【００３１】
映像制御装置６０は、映像輝度レベル検出回路６１、サイドパネル判定装置６２、及び画質制御装置６７から構成され、サイドパネル判定装置６２は、サイドパネル判定回路Ａ６３（第２サイドパネル判定回路）、サイドパネル判定回路Ｂ６４（第１サイドパネル判定回路）、サイドパネル判定回路Ｃ６５（第３サイドパネル判定回路）、及びＩＮＴ／ＥＸＴ  ＳＷ６６（判定条件切替手段）から構成される。映像輝度レベル検出回路６１の詳細な構成については図２により、またサイドパネル判定装置６２の詳細な構成については図３により後述する。
【００３２】
デジタル放送信号１は、映像表示装置１００の内部で受信する信号又は外部から受信する信号であり、復調装置１０で復調され復調映像信号２としてサイドパネル検出装置５０に出力される。サイドパネル検出装置５０は、復調映像信号２をデジタル処理し映像信号７０として映像処理装置２０に出力する。映像処理装置２０は、映像信号７０を画質補正し映像出力信号３として外部に出力する。
【００３３】
本実施の形態の映像表示装置１００は、図１０の映像表示装置に、サイドパネル検出装置５０、映像輝度レベル検出回路６１及びサイドパネル判定装置６２が付加された構成となっている。
【００３４】
また、映像輝度レベル検出回路６１及びサイドパネル判定装置６２には、復調装置１０、サイドパネル検出装置５０及び映像処理装置２０の各回路からの検出信号が入力される構成となっている。
【００３５】
すなわち、復調装置１０の復調回路１１のアスペクト情報信号７１とフォーマット変換回路１２のサイドパネル情報信号７２は、サイドパネル判定装置６２のサイドパネル判定回路Ａ６３に入力され、サイドパネル検出装置５０のサイドパネル検出回路５１のサイドパネル検出信号７４、アスペクト検出回路５２のアスペクト検出信号７５及び静止画検出回路５３のサイドパネル静止検出信号７６は、サイドパネル判定回路Ｂ６４に入力される。また、ＯＳＤ混合回路１３のＯＳＤ情報信号７３とサイドパネル判定回路Ａ６３及びサイドパネル判定回路Ｂ６４のサイドパネル判定信号８２，８３は、サイドパネル判定回路Ｃ６５に入力され、サイドパネル判定回路Ｃ６５には、サイドパネル判定装置６２のＩＮＴ／ＥＸＴ  ＳＷ６６のＩＮＴ／ＥＸＴ制御信号８４が入力される。
【００３６】
ＩＮＴ／ＥＸＴ  ＳＷ６６は、内部デジタル放送又は外部デジタル放送の場合でＡＮＤ又はＯＲ判定などの判定条件を切り替えるものである。送信側のサイドパネル情報がない場合のサイドパネル検出又は、送信側のサイドパネル情報がある場合のサイドパネル検出のどちらの場合においても判定条件を切り替えることができる。
【００３７】
一方、映像処理装置２０の黒検出回路２２の黒検出信号７７、暗部検出回路２４の暗部検出信号７８、明部検出回路２６の明部検出信号７９及びＡＢＬ回路３０のＡＢＬ検出信号８０は、映像制御装置６０の映像輝度レベル検出回路６１に入力される。
【００３８】
映像制御装置６０の映像輝度レベル検出回路６１の映像輝度レベル検出信号８１とサイドパネル判定装置６２のサイドパネル判定回路Ｃ６５のサイドパネル判定信号Ｃ８５は、画質制御装置６７に入力され、画質制御装置６７からの画質制御信号４は、映像処理装置２０の各回路２１，２３，２５，２７，２８，２９，３１に出力される。
【００３９】
上記サイドパネル検出装置５０、映像輝度レベル検出回路６１、及びサイドパネル判定装置６２は、全体としてサイドパネル１６：９映像信号から画像信号部分以外の無画部分を含む画像情報を検出する画像情報検出手段としての機能を有し、画質制御装置６７は、映像処理装置２０を制御する画質制御信号（映像制御信号）４に対して、総合画像部分の画像情報に応じた画質補正を行う。
上記「画像信号部分以外の無画部分」と「画像信号部分以外の無画部分を含む画像情報を検出する画像情報検出手段」について説明する。
【００４０】
「画像信号部分以外の無画部分」とは、上下の無画部及び左右の無画部の領域を示し、具体的には後述する図８（ｂ）〜（ｄ）の点画像領域以外の濃淡画部領域を示す。従来は映像領域の検出と映像領域の輝度レベル検出を行うものであるのに対し、本装置は上記無画部を検出する手段を有するとともに、映像部／無画部を含む信号情報全体の映像・サイドパネル情報に応じた輝度レベルを検出する手段を有する差異がある。
【００４１】
「画像信号部分以外の無画部分を含む画像情報を検出する画像情報検出手段」の具体的構成は、サイドパネル検出装置５０、映像制御装置６０、映像輝度レベル検出回路６１、画質制御装置６７、及びサイドパネル判定装置６２からなる。これらを役割別に説明すると、無画部検出のための装置とはサイドパネル検出装置５０及びサイドパネル判定装置６２であり、映像部／無画部を含めた明るさに応じた輝度レベルを検出する装置が映像輝度レベル検出回路６１であり、これら両者のサイドパネル判定装置６２と映像輝度レベル検出回路６１の結果から画質制御量を決定する画質制御装置６７により構成されている。よって、無画部を検出する手段として主体的役割を担っている装置がサイドパネル検出装置５０及びサイドパネル判定装置６２であり、その結果から補助的役割を担っている装置が映像輝度レベル検出回路６１であるため、映像輝度レベル検出回路６１のみがあって他の回路を省略した装置では「画像信号部分以外の無画部分を検出する手段」としての効果は期待できない。
【００４２】
図２は、映像輝度レベル検出回路６１の詳細な構成を示すブロック図である。
図２において、映像輝度レベル検出回路６１は、暗部検出回路２４の暗部検出信号７８と明部検出回路２６の明部検出信号７９との輝度レベルを比較する輝度レベル比較回路９１（輝度レベル比較回路＜１＞，第１輝度レベル比較回路）と、輝度レベル比較回路９１の輝度レベル検出信号９４（輝度レベル検出信号＜１＞）と黒検出回路２２の黒検出信号７７との輝度レベルを比較する輝度レベル比較回路９２（輝度レベル比較回路＜２＞，第２輝度レベル比較回路）と、輝度レベル比較回路９２の輝度レベル検出信号９５（輝度レベル検出信号＜２＞）とＡＢＬ回路３０のＡＢＬ検出信号８０との輝度レベルを比較し、映像輝度レベル検出信号８１を出力する輝度レベル比較回路９３（輝度レベル比較回路＜３＞，第３輝度レベル比較回路）とから構成される。
【００４３】
図３は、サイドパネル判定装置６２の詳細な構成を示すブロック図である。
図３において、サイドパネル判定装置６２のサイドパネル判定回路Ａ６３は、復調回路１１のアスペクト情報信号７１とフォーマット変換回路１２のサイドパネル情報信号７２とを基にサイドパネルを判定し、サイドパネル判定信号８２（サイドパネル判定信号＜Ａ１＞）を出力するサイドパネル判定回路１１４（サイドパネル判定回路＜Ａ１＞）から構成される。
【００４４】
サイドパネル判定装置６２のサイドパネル判定回路Ｂ６４は、サイドパネル検出装置５０のサイドパネル検出回路５１のサイドパネル検出信号７４と静止画検出回路５３のサイドパネル静止検出信号７６とを基にサイドパネルを判定し、サイドパネル判定信号１１３（サイドパネル判定信号＜Ｂ１＞）を出力するサイドパネル判定回路１１１（サイドパネル判定回路＜Ｂ１＞）と、サイドパネル判定回路１１１（サイドパネル判定回路＜Ｂ１＞）のサイドパネル判定信号１１３（サイドパネル判定信号＜Ｂ１＞）とアスペクト検出回路５２のアスペクト検出信号７５とを比較し、サイドパネル判定信号Ｂ８３を出力するサイドパネル判定回路１１２（サイドパネル判定回路＜Ｂ２＞）とを備えて構成される。
【００４５】
サイドパネル判定装置６２のサイドパネル判定回路Ｃ６５は、ＩＮＴ／ＥＸＴＳＷ６６からのＩＮＴ／ＥＸＴ制御信号８４を受け、サイドパネル判定回路１１４（サイドパネル判定回路＜Ａ１＞）のサイドパネル判定信号８２（サイドパネル判定信号＜Ａ１＞）とサイドパネル判定信号１１２（サイドパネル判定信号＜Ｂ２＞）のサイドパネル判定信号Ｂ８３とを基にサイドパネルを判定し、サイドパネル判定信号１１７（サイドパネル判定信号＜Ｃ１＞）を出力するサイドパネル判定回路１１５（サイドパネル判定回路＜Ｃ１＞）と、ＩＮＴ／ＥＸＴ  ＳＷ６６からのＩＮＴ／ＥＸＴ制御信号８４を受け、サイドパネル判定信号１１７（サイドパネル判定信号＜Ｃ１＞）と復調装置１０のＯＳＤ混合回路１３のＯＳＤ情報信号７３とを基にサイドパネルを判定し、サイドパネル判定信号Ｃ８５を出力するサイドパネル判定回路１１６（サイドパネル判定回路＜Ｃ２＞）とを備えて構成される。
【００４６】
以下、上述のように構成された映像表示装置１００の動作を説明する。まず、映像制御装置６０の映像輝度レベル検出回路６１の動作を説明する。
サイドパネル検出装置５０から出力された映像信号７０は、映像処理装置２０の黒伸長回路２１に入力される。黒検出回路２２では、１フィールド毎の黒検出動作が行われ、黒検出結果に応じて黒伸長回路２１を補正すると共に、黒検出信号７７を映像輝度レベル検出回路６１に出力する。
【００４７】
黒伸長回路２１を通った映像信号は、暗部ガンマ回路２３に入力される。暗部検出回路２４では、１フィールド毎の暗部検出動作が行われ、暗部検出結果に応じて暗部ガンマ回路２３を補正すると共に、暗部検出信号７８を映像輝度レベル検出回路６１に出力する。
【００４８】
暗部ガンマ回路２３を通った映像信号は、明部ガンマ回路２５に入力される。明部検出回路２６では、１フィールド毎の明部検出動作が行われ、明部検出結果に応じて明部ガンマ回路２５を補正すると共に、明部検出信号７９を映像輝度レベル検出回路６１に出力する。
【００４９】
明部ガンマ回路２５を通った映像信号は、画質回路２７、コントラスト回路２８、黒レベル回路２９、及びガンマ回路３１で画質補正され、映像出力信号３として出力される。コントラスト回路２８及び黒レベル回路２９は、映像出力信号３の輝度レベルに応じた補正を行うＡＢＬ回路３０により補正される。また、ＡＢＬ回路３０は、ＡＢＬ検出信号８０を映像輝度レベル検出回路６１に出力する。
【００５０】
上記画像輝度レベル検出動作により得られた黒検出信号７７、暗部検出信号７８、明部検出信号７９、及びＡＢＬ検出信号８０は、映像輝度レベル検出回路６１に入力される。映像輝度レベル検出回路６１では、画像輝度レベルを検出し、画像輝度レベルの検出結果である映像輝度レベル検出信号８１を画質制御装置６７に出力する。
【００５１】
映像輝度レベル検出回路６１の動作について図２により説明する。
図２に示すように、暗部検出回路２４の暗部検出信号７８と明部検出回路２６の明部検出信号７９が輝度レベル比較回路９１（輝度レベル比較回路＜１＞）に入力され、輝度レベル比較回路９１はこれらの検出信号を比較して比較結果の輝度レベル検出信号９４（輝度レベル検出信号＜１＞）を輝度レベル比較回路９２（輝度レベル比較回路＜２＞）に出力する。
【００５２】
輝度レベル比較回路９２（輝度レベル比較回路＜２＞）では、黒検出回路２２の黒検出信号７７と輝度レベル検出信号９４（輝度レベル検出信号＜１＞）とを比較し、比較結果を輝度レベル検出信号９５（輝度レベル検出信号＜２＞）として輝度レベル比較回路９３（輝度レベル比較回路＜３＞）に出力する。
【００５３】
輝度レベル比較回路９３（輝度レベル比較回路＜３＞）では、ＡＢＬ回路３０のＡＢＬ検出信号８０と輝度レベル検出信号９５（輝度レベル検出信号＜２＞）とを比較し、比較結果を映像輝度レベル検出信号８１として出力する。この映像輝度レベル検出信号８１が映像輝度レベル検出回路６１の画像輝度レベル検出結果となる。
【００５４】
図４乃至図７は、映像制御装置６０のアルゴリズム例の詳細態様を示す図であり、図４▲１▼は映像輝度レベル検出回路６１のアルゴリズム例を、図５▲２▼はサイドパネル判定回路Ｂ６４のアルゴリズム例を、図５▲３▼はサイドパネル判定回路Ａ１１４のアルゴリズム例を、図６▲４▼はサイドパネル判定回路Ｃ６５のアルゴリズム例を、図７▲５▼は画質制御装置６７のアルゴリズム例をそれぞれ示す。
【００５５】
図４▲１▼映像輝度レベル検出回路６１のアルゴリズム例について説明する。
映像輝度レベル検出回路６１のアルゴリズム例は、（１）輝度レベル比較回路９１（輝度レベル比較回路＜１＞）、（２）輝度レベル比較回路９２（輝度レベル比較回路＜２＞）、（３）輝度レベル比較回路９３（輝度レベル比較回路＜３＞）に分かれて数値は以下の意味を持つ。
【００５６】
輝度レベル比較回路９１（輝度レベル比較回路＜１＞）に入力される暗部検出信号７８は、暗い信号、中間信号、明るい信号に閾値設定されており、同様に、明部検出信号７９も閾値設定されている。例えば、暗部検出信号７８が暗、明部検出信号７９が暗であれば、“０”の結果を得る。結果は０〜２の３段階表現をしており、０程暗く、２程明るいという閾値表現結果が得られ、また、輝度レベル比較回路９２（輝度レベル比較回路＜２＞）、輝度レベル比較回路９３（輝度レベル比較回路＜３＞）でも同様の動作をし、映像輝度レベル検出信号８１が得られる。このアルゴリズム例では、便宜上数値表現で現したが、実際の構成は直流電圧の閾値やデジタル処理で実現することができる。なお、上述した映像輝度レベル検出回路６１以外のアルゴリズム例の説明については後述する。
【００５７】
次に、復調装置１０の動作について説明する。
図１において、デジタル放送信号１は映像表示装置１００内部又は外部で受信され、復調装置１０に入力される。受信されたデジタル放送信号１は、復調装置１０の復調回路１１により復調され、フォーマット変換回路１２により所定の信号形式に変換され、さらにＯＳＤ混合回路１３によりＯＳＤ情報が付加されて復調映像信号２としてサイドパネル検出装置５０に出力される。上記復調回路１１では、デジタル放送信号１の中には送信側で送られてくるアスペクト情報があるため、これも復調回路１１で復調し、アスペクト情報信号７１を出力する。フォーマット変換回路１２では、復調回路１１で復調した信号を所定のフォーマットに変換する際、サイドパネル１６：９映像信号に変換する場合があるため、変換を行うフォーマット変換回路１２ではサイドパネル信号であることが分かっている。このサイドパネル信号をサイドパネル情報信号７２として出力する。ＯＳＤ混合回路１３では、フォーマット変換回路１２で変換された信号にメニューなどのＯＳＤ情報を付加するため、ＯＳＤ情報がある信号であるか分かっている。このＯＳＤ情報をＯＳＤ情報信号７３として出力する。
以上より復調装置１０では、アスペクト情報信号７１、サイドパネル情報信号７２、ＯＳＤ情報信号７３を得る動作を行う。
【００５８】
次に、サイドパネル検出装置５０の動作について説明する。
上記復調装置１０により復調された復調映像信号２を基に、サイドパネル検出装置５０ではサイドパネル信号の検出を行う。サイドパネル検出装置５０において、どのような信号を検出するかを図８で説明する。
【００５９】
図８は、検出する画像の例を示す図であり、図８（ａ）は通常の１６：９映像信号を示す。図８（ｂ）が一般的なサイドパネル信号で両側が黒の情報が付加されており、図８（ｃ）は昨今よく見られるサイドパネル信号で両側に文字や色などを挿入し、映像情報として送信されてくるサイドパネル信号である。図８（ｄ）は図８（ｂ）又は図８（ｃ）のサイドパネルに上下部分に無画部を付加する信号であり、１６：９信号をサイドパネル形式で送る場合に真円を正しく表示させるために垂直方向を圧縮したものである。
【００６０】
サイドパネル検出装置５０は、これらの信号を検出するものである。サイドパネル検出回路５１では、復調映像信号２の両側サイドパネル部分の領域で、かつ放送局ロゴが表示される領域以外を検出領域とし、両側の検出領域全体がある閾値より小さい場合にサイドパネル信号と判定し、サイドパネル検出信号７４を出力する。
【００６１】
アスペクト検出回路５２では、復調映像信号２の映像信号全体の中で、ある閾値に対して大きい場合に映像信号が存在すると判断し、映像の水平開始位置、水平終了位置、垂直開始位置、垂直終了位置を検出し、復調映像信号２が４：３であるか、１６：９であるか、又はレターボックスであるかの、アスペクト検出信号７５を出力する。
【００６２】
静止画検出回路５３では、サイドパネル検出回路５１の検出領域において領域全体が静止画であるか、動画であるかの判定を行い、サイドパネル静止検出信号７６を出力する。以上よりサイドパネル検出装置５０では、サイドパネル検出信号７４、アスペクト検出信号７５、サイドパネル静止検出信号７６を得る動作を行う。
【００６３】
次に、映像制御装置６０のサイドパネル判定装置６２の動作について説明する。まず、サイドパネル判定回路Ｂ６４の動作について述べる。
図３に示すように、サイドパネル判定回路Ｂ６４では、サイドパネル検出信号７４とサイドパネル静止検出信号７６をサイドパネル判定回路１１１（サイドパネル判定回路＜Ｂ１＞）に入力し、比較結果のサイドパネル判定信号１１３（サイドパネル判定信号＜Ｂ１＞）を得、次にアスペクト検出信号７５とサイドパネル判定信号１１３（サイドパネル判定信号＜Ｂ１＞）をサイドパネル判定回路１１２（サイドパネル判定回路＜Ｂ２＞）に入力し、比較結果のサイドパンル判定信号Ｂ８３を得る。この詳細動作を、前記図５▲２▼サイドパネル判定回路Ｂ６４のアルゴリズム例により説明する。図３及び図５▲２▼において、サイドパネル判定回路１１１（サイドパネル判定回路＜Ｂ１＞）に入力されるサイドパネル検出信号７４は、サイドパネル信号、１６：９信号の検出結果であり、またサイドパネル静止検出信号７６は、静止、動の検出結果であって、両検出結果よりサイドパネル判定を行う。例えば、サイドパネル検出信号７４がサイドパネルで、サイドパネル静止検出信号７６が静止ならば、サイドパネル信号と判定する。同様に、サイドパネル判定回路１１２（サイドパネル判定回路＜Ｂ２＞）でも比較が行われ、サイドパネル判定回路１１２（サイドパネル判定回路＜Ｂ１＞）１１１とサイドパネル判定回路１１２（サイドパネル判定回路＜Ｂ２＞）での検出結果により、検出精度の向上、信号形式の絞込みが得られる。
【００６４】
次に、サイドパネル判定回路Ａ６３の動作について述べる。
アスペクト情報信号７１とサイドパネル情報信号７２をサイドパネル判定回路１１４（サイドパネル判定回路＜Ａ１＞）に入力し、比較結果のサイドパネル判定信号８２（サイドパネル判定信号＜Ａ１＞）を得る。この詳細動作を、前記図５▲３▼サイドパネル判定回路Ａ６３のアルゴリズム例により説明する。図３及び図５▲３▼において、サイドパネル判定回路１１４（サイドパネル判定回路＜Ａ１＞）に入力されるアスペクト情報信号７１は、４：３信号、１６：９信号、レターボックス信号の検出結果であり、サイドパネル情報信号７２は、サイドパネル信号、１６：９信号の検出結果であり、両検出結果よりサイドパネル判定を行う。例えば、アスペクト情報信号７１が１６：９信号で、サイドパネル情報信号７２がサイドパネル信号ならば、サイドパネル信号▲２▼と判定する。
【００６５】
次に、サイドパネル判定回路Ｃ６５の動作について述べる。
サイドパネル判定信号Ｂ８３とサイドパネル判定信号８２（サイドパネル判定信号＜Ａ１＞）をサイドパネル判定回路１１５（サイドパネル判定回路＜Ｃ１＞）に入力し、比較結果のサイドパネル判定信号１１７（サイドパネル判定信号＜Ｃ１＞）を得、次にサイドパネル判定信号１１７（サイドパネル判定信号＜Ｃ１＞）とＯＳＤ情報信号７３をサイドパネル判定回路１１６（サイドパネル判定回路＜Ｃ２＞）に入力し、比較結果のサイドパネル判定信号Ｃ８５を得る。ここで、サイドパネル判定回路１１５（サイドパネル判定回路＜Ｃ１＞）とサイドパネル判定回路１１６（サイドパネル判定回路＜Ｃ２＞）は、ＩＮＴ／ＥＸＴ  ＳＷ６６で切り替え制御されるが、デジタル放送信号１が外部からの信号の場合には、サイドパネル判定信号Ｂ８３とサイドパネル判定信号１１７（サイドパネル判定信号＜Ｃ１＞）の結果を優先して判定し、内部の信号の場合には全ての判定信号から判定するように切り替え制御が行われる。
【００６６】
この詳細動作を、前記図６▲４▼サイドパネル判定回路Ｃ６５のアルゴリズム例により説明する。サイドパネル判定回路１１５（サイドパネル判定回路＜Ｃ１＞）に入力されるサイドパネル判定信号Ｂ８３は、１６：９信号、サイドパネル信号▲１▼、サイドパネル信号▲２▼、サイドパネル信号▲３▼、の検出結果であり、サイドパネル判定信号Ａ８２（サイドパネル判定信号＜Ａ１＞）も同様の結果であり、両検出結果よりサイドパネル判定を行う。さらに、デジタル放送信号が内部の場合と外部の場合で判定結果の切り替えを行う。例えば、デジタル放送信号が外部の場合は、サイドパネル判定信号Ｂ８３を優先させるため、サイドパネル判定信号Ｂ８３の結果を判定結果として、サイドパネル判定信号１１７（サイドパネル判定信号＜Ｃ１＞）を得る。同様に、サイドパネル判定回路１１６（サイドパネル判定回路＜Ｃ２＞）も動作するが、例えば、デジタル放送信号１が内部の信号で、ＯＳＤ情報信号７３が有りの場合は、検出結果を更新せずに、前の検出状態を保持する動作を行う。
【００６７】
次に、映像制御装置６０の画質制御装置６７の動作について述べる。
サイドパネル判定信号Ｃ８５と映像輝度レベル検出信号８１を画質制御装置６７に入力し、比較結果として、画質制御信号４を出力し、映像処理装置２０で最適な画質補正を行う。この詳細動作を、前記図７▲５▼画質制御装置６７のアルゴリズム例により説明する。画質制御装置６７に入力されるサイドパネル判定信号Ｃ８５は、１６：９信号、サイドパネル信号▲１▼、サイドパネル信号▲２▼、サイドパネル信号▲３▼、の検出結果である。また、映像輝度レベル検出信号８１は、０〜２の明るさ情報結果であり、両検出結果から最適な画質制御パターンの補正レベルを画質制御信号４として出力し、映像処理装置２０の画質補正を行う。
【００６８】
以上の動作から、デジタル放送信号１の信号形式を、復調装置１０、サイドパネル検出装置５０、サイドパネル判定装置６２により識別判定する手段と、映像輝度レベル検出回路６１による映像輝度レベルの検出手段により、サイドパネル信号形式と輝度レベルに適応した画質補正を行うため、従来技術の欠点を克服することが可能であり、映像の輝度レベルや信号形式によらず常に良好な画質を表示させることができる映像表示受信機とすることが可能である。
【００６９】
図９は、本映像表示装置１００による画像と従来例による画像を比較し効果を説明する図である。図９（Ａ）は理想的な画像を示し、図９（Ｂ）は図９（Ａ）の理想的な画像に対する従来の画像を、また図９（Ｃ）は図９（Ａ）の理想的な画像に対する本映像表示装置１００による画像を示す。
【００７０】
前述したように、従来技術では、図９（Ｂ）に示すように画像パターン▲１▼〜▲４▼で黒レベルの浮きや映像輝度レベルの時間軸変化による輝度、画質変化などの画質劣化を招いていた。本実施の形態では、画像パターン▲１▼〜▲４▼を検出するとともに、映像の輝度レベルも検出するため、各画像パターンに最適な画質制御が行われ、原画と同様な画質を再現することが可能である。
【００７１】
以上のように、本実施の形態の映像表示装置１００は、サイドパネル１６：９映像信号を、送信側のアスペクト情報信号７１と、復調側のサイドパネル情報信号７２と、復調側のＯＳＤ情報信号７３と、サイドパネル検出回路５１と、アスペクト検出回路５２と、静止画検出回路５３とにより検出し、これら検出手段を適宜切替え、又は組み合わせることにより、精度が高く誤検出が少ないサイドパネル判定を実現するとともに、黒検出回路２２と、暗部検出回路２４と、明部検出回路２６と、ＡＢＬ回路３０とにより、サイドパネル１６：９映像信号の輝度レベルを検出し、映像輝度レベル検出回路６１で映像信号の輝度レベルを求め、サイドパネル検出結果と、映像輝度レベル検出結果に応じた画質補正を、画質制御装置６３より画質制御信号４として画質処理装置２０で施す構成としたので、サイドパネル１６：９映像信号に最適な画質を得ることができる。
【００７２】
すなわち、画像輝度レベル検出結果に応じて、映像処理装置２０への画質制御信号（映像制御信号）４に対して、輝度レベル比較回路＜３＞で得られた映像輝度レベル検出信号８１によりサイドパネル形式に応じた画質補正を行うことができるため、信号形式と輝度レベルに対して、常に最適な画質補正を行うことができる。
【００７３】
また、本実施の形態では、サイドパネル検出回路５１、アスペクト検出回路５２及び静止画検出回路５３による検出と、サイドパネル判定回路Ｂ６４による判定とを行うことで、送信側のサイドパネル情報がないサイドパネル１６：９映像信号を精度よく検出することができる。
【００７４】
また、本実施の形態では、送信側のアスペクト情報信号と復調側のサイドパネル情報信号とを基に、サイドパネル判定回路Ａ６３によりサイドパネルを判定することで、送信側のサイドパネル情報があるサイドパネル１６：９映像信号を精度よく検出することができる。
【００７５】
また、本実施の形態では、送信側のサイドパネル情報がない場合のサイドパネル検出又は、送信側のサイドパネル情報がある場合のサイドパネル検出において、内部デジタル放送又は外部デジタル放送の場合でＡＮＤ又はＯＲ判定などの判定条件を切り替えるＩＮＴ／ＥＸＴ  ＳＷ６６を備えているので、サイドパネル検出と判定の精度をさらに向上させることができる。
【００７６】
さらに、本実施の形態では、サイドパネル１６：９映像信号にＯＳＤが重畳された信号の場合は、ＯＳＤ混合回路１３からのＯＳＤ情報信号を基に、送信側のサイドパネル情報がない場合のサイドパネル検出と、送信側のサイドパネル情報がある場合のサイドパネル検出による検出結果に従ってＯＳＤ表示が行われる前の状態を保持するなど、サイドパネル１６：９映像信号にＯＳＤ情報が重畳されている場合、サイドパネル検出結果を用いないようにする。このようなＯＳＤ信号有無での切替動作により、ＯＳＤ信号重畳によるサイドパネル検出誤動作を防ぎ、画質変動を防止することができる。
【００７７】
ここで、特許文献１、２に記載の装置と、本実施の形態に係る映像表示装置（以下、本装置という）との相違点及び、その優位性について説明する。
まず、特許文献１記載の装置は、サイドパネル１６：９映像信号を検出し、４：３ＴＶに真円を保ちながら水平・垂直をコントロールし画面全体に表示することができるものである。サイドパネル１６：９映像信号を検出する方法は、送信側のアスペクト情報と、両側のサイドパネル検出結果により検出を行うが、両側のサイドパネル検出は、左側の輝度平均値と右側の輝度平均値が等しく且つ映像部の平均輝度と等しくない場合にサイドパネルと判定をする。
【００７８】
これに対し、本装置は、サイドパネル１６：９映像信号を検出し、サイドパネル１６：９映像信号に最適な画質補正を行うものであり、送信側アスペクト情報と、復調側サイドパネル情報と、復調側ＯＳＤ情報と、サイドパネル検出回路５１と、アスペクト検出回路５２と、静止画検出回路５３とにより、これら検出手段を図４乃至図７に示すアルゴリズム例に従って適宜切替え、又は組み合わせることにより、精度が高く誤検出が少ないサイドパネルを検出するものである。また、本装置のサイドパネル検出回路５１は、左側と右側の検出領域全体の輝度がある閾値より小さい場合にサイドパネルと判断する相違点がある。
【００７９】
したがって、特許文献１に記載の装置は、左側と右側が同じである対象画像のサイドパネルの場合しか検出できないが、本装置では、ある閾値以下の画像であれば左右非対称の画像でもサイドパネルの検出が可能である優位性がある。従来のサイドパネル信号は左右が黒の対象画像が一般的であったため上記従来の装置でも検出が可能であったが、デジタル放送の本格化によるサイドパネル信号は、左右のサイドパネル部分に模様や輝度差を持つ柄等の非対称のサイドパネルが多くなることが想定され、上記従来の装置ではサイドパネルが検出し難くなる。本装置では左右のサイドパネル部分に模様や輝度差がある場合であってもサイドパネルを精度よく検出することができ、サイドパネル形式に応じた画質補正を行うことができる。
【００８０】
次に、特許文献２に記載の装置は、表示画面全体を検出する水平・垂直の任意位置に設定し、その範囲にある画像信号部分を検出するとともに、検出した画像信号部分の画像情報を検出し、検出した画像情報に応じた画質補正を行うものである。
【００８１】
これに対し、本装置は、サイドパネル１６：９映像信号から画像信号部分以外の無画部分を含む総合画像部分の画像情報を検出する画像情報検出手段を備え、画質制御装置６７は、映像処理装置２０を制御する画質制御信号４に対して、前記総合画像部分の画像情報に応じた画質補正を行うものである。これにより、画像を表示する映像は無画部分も含まれるため、無画部分によるデイスプレイ能力を最大限に引き出すことと、昨今のサイドパネル部分の両側映像は黒の無画部分だけでなく、映像が重畳されているサイドパネルが増加しているため、サイドパネル部分も映像情報として考慮する必要性が高いことから、総合画像部分に応じた画質補正を行うことができる効果がある。
【００８２】
なお、上記実施の形態の映像表示装置は、ＢＳデジタル放送受信機に適用した例であるが、地上波デジタル放送受信機などすべての映像表示装置で実現することができる。
【００８３】
また、本実施の形態では、映像表示装置という名称を用いたが、これは説明の便宜上であり、映像表示受信機や画像情報検出方法等でもよいことは勿論である。
【００８４】
また、上記サイドパネル検出装置５０、映像制御装置６０の映像輝度レベル検出回路６１、サイドパネル判定装置６２により検出・判定される検出・判定の態様、及び図４乃至図７に示すアルゴリズム例は一例であってどのような検出・判定の組み合わせ例でもよい。また、図８及び図９に示す画像は、例示にすぎないことは言うまでもない。
【００８５】
さらに、上記映像表示装置を構成する回路や部材の数、種類などは前述した実施の形態に限られないことは言うまでもなく、ハードウェアに限らずソフトウェアにより実現するようにしてもよい。
【００８６】
【発明の効果】
以上、詳述したように、本発明によれば、信号形式と輝度レベルに対して、常に最適な画質補正を行うことができる映像表示装置を実現することができる。
【図面の簡単な説明】
【図１】本発明の実施の形態の映像表示装置の構成を示す図である。
【図２】本実施の形態の映像表示装置の映像輝度レベル検出回路の詳細な構成を示すブロック図である。
【図３】本実施の形態の映像表示装置のサイドパネル判定装置の詳細な構成を示すブロック図である。
【図４】本実施の形態の映像表示装置の映像制御装置のアルゴリズム例の詳細態様を示す図である。
【図５】本実施の形態の映像表示装置の映像制御装置のアルゴリズム例の詳細態様を示す図である。
【図６】本実施の形態の映像表示装置の映像制御装置のアルゴリズム例の詳細態様を示す図である。
【図７】本実施の形態の映像表示装置の映像制御装置のアルゴリズム例の詳細態様を示す図である。
【図８】本実施の形態の映像表示装置の検出する画像の例を示す図である。
【図９】本実施の形態の本映像表示装置による画像と従来例による画像を比較し効果を説明する図である。
【図１０】従来の映像表示受信機を示すブロック図である。
【符号の説明】
１  デジタル放送信号
２  復調映像信号
３  映像出力信号
４  画質制御信号（映像制御信号）
１０  復調装置
１１  復調回路
１２  フォーマット変換回路
１３  ＯＳＤ混合回路
２０  映像処理装置
２１  黒伸長回路
２２  黒検出回路
２３  暗部ガンマ回路
２４  暗部検出回路
２５  明部ガンマ回路
２６  明部検出回路
２７  画質回路
２８  コントラスト回路
２９  黒レベル回路
３０  ＡＢＬ回路（輝度レベル制御回路）
３１  ガンマ回路
５１  サイドパネル検出回路
５２  アスペクト検出回路
５３  静止画検出回路
５０  サイドパネル検出装置
６０  映像制御装置
６１  映像輝度レベル検出回路
６２  サイドパネル判定装置
６３  サイドパネル判定回路Ａ（第２サイドパネル判定回路）
６４  サイドパネル判定回路Ｂ（第１サイドパネル判定回路）
６５  サイドパネル判定回路Ｃ（第３サイドパネル判定回路）
６６  ＩＮＴ／ＥＸＴ  ＳＷ（判定条件切替手段）
６７  画質制御装置
９１  輝度レベル比較回路（輝度レベル比較回路＜１＞，第１輝度レベル比較回路）
９２  輝度レベル比較回路（輝度レベル比較回路＜２＞，第２輝度レベル比較回路）
９３  輝度レベル比較回路（輝度レベル比較回路＜３＞，第３輝度レベル比較回路）
１００  映像表示装置
１１１  サイドパネル判定回路（サイドパネル判定回路＜Ｂ１＞）
１１２  サイドパネル判定回路（サイドパネル判定回路＜Ｂ２＞）
１１４  サイドパネル判定回路（サイドパネル判定回路＜Ａ１＞）
１１５  サイドパネル判定回路（サイドパネル判定回路＜Ｃ１＞）
１１６  サイドパネル判定回路（サイドパネル判定回路＜Ｃ２＞）
【図１】
2005026814.tif 000003
【図２】
2005026814.tif 000004
【図３】
2005026814.tif 000005
【図４】
2005026814.tif 000006
【図５】
2005026814.tif 000007
【図６】
2005026814.tif 000008
【図７】
2005026814.tif 000009
【図８】
2005026814.tif 000010
【図９】
2005026814.tif 000011
【図１０】
2005026814.tif 000012